(57)【要約】【課題】複数のコネクタ端子同士をお互いに接続するためのジョイントコネクタ拡張構造において、ハウジングの、コネクタ端子を収容する収容穴の数を変更することなく、より多くの数のコネクタ端子同士をお互いに接続する。【解決手段】本体部９とこの本体部の横方向の一方の側で前記本体部から突出しているオス接点部１３とを備えたコネクタ端子３と、コネクタ端子が収容されこの収容されたコネクタ端子のオス接点部が覗ける切り欠き１５が形成されているハウジング５Ａと、各ハウジング同士を重ねて設置するときに、各ハウジングの切り欠きに入り込み、各コネクタ端子同士を導通させ、各ハウジング同士を一体化するジョイントコネクタ７とを有するジョイントコネクタ拡張構造１である。【選択図】図１
2014002846.tif 000002
【特許請求の範囲】
【請求項１】
本体部とこの本体部の横方向の一方の側で前記本体部から突出しているオス接点部とを備えたコネクタ端子と、
前記コネクタ端子が収容され、この収容されたコネクタ端子のオス接点部が覗ける切り欠きが形成されている第１のハウジングと、
前記第１のハウジングに収容されたコネクタ端子とは別のコネクタ端子が収容され、この収容されたコネクタ端子のオス接点部が覗ける切り欠きが形成されている第２のハウジングと、
前記各ハウジング同士を重ねて設置するときに、前記各ハウジングの切り欠きに入り込み、前記第１のハウジングに収容されたコネクタ端子のオス接点部と、前記第２のハウジングに収容されたコネクタ端子のオス接点部とに係合し、前記各コネクタ端子同士を導通させ、前記各ハウジング同士を一体化するジョイントコネクタと、
を有することを特徴とするジョイントコネクタ拡張構造。
【請求項２】
請求項１に記載のジョイントコネクタ拡張構造において、
前記コネクタ端子の本体部の内部にはメス接点部が設けられており、
前記ハウジングには、複数の前記コネクタ端子が横方向にならんで収容されるようになっており、前記ハウジングに収容されお互いが隣接している各コネクタ端子同士は、前記オス接点部が前記メス接点部に係合することでお互いが導通しており、
前記ハウジングに収容された各コネクタ端子のうちで、横方向の一方の端部に存在するコネクタ端子のオス接点部が、前記ハウジングに形成されている切り欠きを通して覗けるようになっており、
前記ジョイントコネクタは、前記第１のハウジングの横方向の一方の端部に存在するコネクタ端子のオス接点部と、前記第２のハウジングの横方向の一方の端部に存在するコネクタ端子のオス接点部とに係合するように構成されていることを特徴とするジョイントコネクタ拡張構造。
【請求項３】
本体部とこの本体部の横方向の一方の側で前記本体部から突出しているオス接点部とを備えたコネクタ端子が収容され、この収容されたコネクタ端子のオス接点部が覗ける切り欠きが形成されている第１のハウジングと、本体部とこの本体部の横方向の一方の側で前記本体部から突出しているオス接点部とを備えたコネクタ端子が収容され、この収容されたコネクタ端子のオス接点部が覗ける切り欠きが形成されている第２のハウジングとを重ねてお互いを接合するときに使用するジョイントコネクタにおいて、
前記第１のハウジングの切り欠きに入り込み、前記第１のハウジングに収容されたコネクタ端子のオス接点部に係合する第１の係合部と、
前記第２のハウジングの切り欠きに入り込み、前記第２のハウジングに収容されたコネクタ端子のオス接点部に係合する第２の係合部と、
前記第１の係合部と前記第２の係合部とを接続している連結部と、
を有することで「コ」字状に形成され、前記各ハウジングに設置したときに、前記各ハウジングの切り欠きに全体が入り込み、前記各コネクタ端子同士を導通させ、前記各ハウジング同士を一体化することを特徴とするジョイントコネクタ。
【発明の詳細な説明】
【技術分野】
【０００１】
本発明は、ジョイントコネクタ拡張構造およびジョイントコネクタに係り、特に、お互いが重ねられたハウジング同士を一体的に接合するものに関する。
【背景技術】
【０００２】
従来、複数本の電線の端部のそれぞれにコネクタ端子を設置し、これらのコネクタ端子同士をお互いに接続することで、各電線同士の導通を確保するものが知られている（たとえば、特許文献１参照）。
【０００３】
また、図６に示すように、各コネクタ端子３０１を、このコネクタ端子の数だけ収容穴３０３が設けられているコネクタ端子収容ハウジング３０５に収容し（各コネクタ端子３０１のそれぞれを収容穴３０３のそれぞれに挿入して収容し）、上述したような電線同士の接続をする場合がある。
【先行技術文献】
【特許文献】
【０００４】
【特許文献１】特開２００７−８７８１０号公報
【発明の概要】
【発明が解決しようとする課題】
【０００５】
ところで、樹脂で成形されたハウジング３０５は、これに設けられている収容穴３０３の数は簡単には変更することができない。したがって、ハウジング３０５に設けられている収容穴３０３の数よりも多くのコネクタ端子３０１同士をお互いに接続する場合には、仕様の異なる（収容穴の数を増やした）別のハウジングが必要になるという問題がある。
【０００６】
本発明は、上記問題点に鑑みてなされたものであり、複数のコネクタ端子同士をお互いに接続するためのジョイントコネクタ拡張構造およびジョイントコネクタにおいて、ハウジングの、コネクタ端子を収容する収容穴の数を変更することなく、より多くの数のコネクタ端子同士をお互いに接続することができるジョイントコネクタ拡張構造およびジョイントコネクタを提供することを目的とする。
【課題を解決するための手段】
【０００７】
請求項１に記載の発明は、本体部とこの本体部の横方向の一方の側で前記本体部から突出しているオス接点部とを備えたコネクタ端子と、前記コネクタ端子が収容され、この収容されたコネクタ端子のオス接点部が覗ける切り欠きが形成されている第１のハウジングと、前記第１のハウジングに収容されたコネクタ端子とは別のコネクタ端子が収容され、この収容されたコネクタ端子のオス接点部が覗ける切り欠きが形成されている第２のハウジングと、前記各ハウジング同士を重ねて設置するときに、前記各ハウジングの切り欠きに入り込み、前記第１のハウジングに収容されたコネクタ端子のオス接点部と、前記第２のハウジングに収容されたコネクタ端子のオス接点部とに係合し、前記各コネクタ端子同士を導通させ、前記各ハウジング同士を一体化するジョイントコネクタとを有するジョイントコネクタ拡張構造である。
【０００８】
請求項２に記載の発明は、請求項１に記載のジョイントコネクタ拡張構造において、前記コネクタ端子の本体部の内部にはメス接点部が設けられており、前記ハウジングには、複数の前記コネクタ端子が横方向にならんで収容されるようになっており、前記ハウジングに収容されお互いが隣接している各コネクタ端子同士は、前記オス接点部が前記メス接点部に係合することでお互いが導通しており、前記ハウジングに収容された各コネクタ端子のうちで、横方向の一方の端部に存在するコネクタ端子のオス接点部が、前記ハウジングに形成されている切り欠きを通して覗けるようになっており、前記ジョイントコネクタは、前記第１のハウジングの横方向の一方の端部に存在するコネクタ端子のオス接点部と、前記第２のハウジングの横方向の一方の端部に存在するコネクタ端子のオス接点部とに係合するように構成されているジョイントコネクタ拡張構造である。
【０００９】
請求項３に記載の発明は、本体部とこの本体部の横方向の一方の側で前記本体部から突出しているオス接点部とを備えたコネクタ端子が収容され、この収容されたコネクタ端子のオス接点部が覗ける切り欠きが形成されている第１のハウジングと、本体部とこの本体部の横方向の一方の側で前記本体部から突出しているオス接点部とを備えたコネクタ端子が収容され、この収容されたコネクタ端子のオス接点部が覗ける切り欠きが形成されている第２のハウジングとを重ねてお互いを接合するときに使用するジョイントコネクタにおいて、前記第１のハウジングの切り欠きに入り込み、前記第１のハウジングに収容されたコネクタ端子のオス接点部に係合する第１の係合部と、前記第２のハウジングの切り欠きに入り込み、前記第２のハウジングに収容されたコネクタ端子のオス接点部に係合する第２の係合部と、前記第１の係合部と前記第２の係合部とを接続している連結部とを有することで「コ」字状に形成され、前記各ハウジングに設置したときに、前記各ハウジングの切り欠きに全体が入り込み、前記各コネクタ端子同士を導通させ、前記各ハウジング同士を一体化するジョイントコネクタである。
【発明の効果】
【００１０】
本発明によれば、複数のコネクタ端子同士をお互いに接続するためのジョイントコネクタ拡張構造およびジョイントコネクタにおいて、ハウジングの、コネクタ端子を収容する収容穴の数を変更することなく、より多くの数のコネクタ端子同士をお互いに接続することができるという効果を奏する。
【図面の簡単な説明】
【００１１】
【図１】本発明の実施形態に係るジョイントコネクタ拡張構造の概略構成を示す斜視図である。
【図２】本発明の実施形態に係るジョイントコネクタ拡張構造を、縦方向および前後方向に展開する平面（横方向に直交する平面）で切断した断面図である。
【図３】本発明の実施形態に係るジョイントコネクタ拡張構造の概略構成を示す斜視図であって、スリットの近傍に断面（縦方向および前後方向に展開する平面による断面）をとった図である。
【図４】図３におけるＩＶ部の拡大図である。
【図５】縦方向および横方向に展開する平面（前後方向に直交する平面）で、本発明の実施形態に係るジョイントコネクタ拡張構造におけるジョイント端子同士をお互いに係合させた状態を切断した断面図である。
【図６】従来のハウジングとジョンイ端子とを示す斜視図である。
【発明を実施するための形態】
【００１２】
本発明の実施形態に係るジョイントコネクタ拡張構造１は、図１等で示すように、コネクタ端子３と第１のハウジング５（５Ａ）と第２のハウジング５（５Ｂ）とジョイントコネクタ７とを備えて構成されている。ハウジング（コネクタ端子収容ハウジング）５には、コネクタ端子３を収容するための収容穴１１が設けられている。
【００１３】
ここで、説明の便宜のために、コネクタ端子３やハウジング５の収容穴１１の長手方向を前後方向とし、前後方向に対して直交する一方向を横方向とし、前後方向と横方向とに対して直交する方向を縦方向とする。
【００１４】
コネクタ端子３は、図５等で示すように、本体部９と、この本体部９の横方向の一方の側で本体部９から突出しているオス接点部１３とを備えて構成されている。
【００１５】
第１のハウジング５Ａは矩形な平板状に形成されており、第１のハウジング５Ａの収容穴１１には、コネクタ端子３が挿入されて収容されるようになっている。第１のハウジング５Ａには、収容されたコネクタ端子３のオス接点部１３が覗ける切り欠き（たとえばスリット）１５（１５Ａ）が形成されている。
【００１６】
第２のハウジング５Ｂも第１のハウジング５Ａと同様な矩形な平板状に形成されており、第２のハウジング５Ｂの収容穴１１には、コネクタ端子（第１のハウジング５Ａに収容されるコネクタ端子とは別のコネクタ端子）３が挿入されて収容されるようになっている。第２のハウジング５Ｂにも、収容されたコネクタ端子３のオス接点部１３が覗ける切り欠き（たとえばスリット）１５（１５Ｂ）が形成されている。
【００１７】
なお、第１のハウジング５Ａの収容穴１１の数と、第２のハウジング５Ｂの収容穴１１の数とはお互いに等しくなっているが、お互いが異なっていてもよい。
【００１８】
ジョイントコネクタ７は、各ハウジング５（５Ａ，５Ｂ）同士を、図１〜図３で示すように、重ねて設置するときに（第１のハウジング５Ａに第２のハウジング５Ｂを縦方向で重ねて設置し各ハウジング５Ａ，５Ｂを一体化するときに）、各ハウジング５の切り欠き１５（１５Ａ，１５Ｂ）に入り込むようになっている。
【００１９】
そして、ジョイントコネクタ７が、第１のハウジング５Ａに収容されたコネクタ端子３のオス接点部１３と、第２のハウジング５Ｂに収容されたコネクタ端子３のオス接点部１３とに係合し（接触し）、各コネクタ端子３同士を導通させ、各ハウジング同士５Ａ，５Ｂを一体化するようになっている。
【００２０】
なお、各ハウジング同士５Ａ，５Ｂが一体化された状態では、一体化している各ハウジング５Ａ，５Ｂは矩形な平板状（直方体状）になっており、しかも、ジョイントコネクタ７は、直方体状の各ハウジング５Ａ，５Ｂの外側には突出していない。
【００２１】
コネクタ端子３の本体部９の内部には、図５で示すように、メス接点部１７が設けられている。なお、図５では、ハウジング５の表示は省略してある。
【００２２】
ハウジング５には、図３等で示すように、複数の収容穴１１は所定の間隔をあけ横方向にならんで設けられている。各収容穴１１のそれぞれにコネクタ端子３が収容されることで、ハウジング５では、複数のコネクタ端子３が横方向にならんで収容されるようになっている。
【００２３】
ハウジング５に収容されお互いが隣接している各コネクタ端子３同士は、オス接点部１３がメス接点部１７に係合することでお互いが導通するようになっている。
【００２４】
また、ハウジング５に収容された各コネクタ端子３のうちで、横方向の一方の端部に存在するコネクタ端子（図３の最も右側に存在するコネクタ端子）３のオス接点部１３が、ハウジング５に形成されている切り欠き１５を通して覗けるようになっている（オス接点部１３が、ハウジング５の外側から見えるようになっている）。
【００２５】
そして、ジョイントコネクタ７は、第１のハウジング５Ａの横方向の一方の端部に存在するコネクタ端子３のオス接点部１３と、第２のハウジング５Ｂの横方向の一方の端部に存在するコネクタ端子３のオス接点部１３とに係合するように構成されている。
【００２６】
コネクタ端子３は、たとえば平板状の金属の素材を所定形状に成形し、この所定形状に成形された素材に曲げ加工を施すことで製造されている。
【００２７】
図１等で示すように、コネクタ端子３の外形形状は、概ね四角柱状になっている。コネクタ端子３の前後方向の前側にコネクタ端子収容ハウジング（コネクタ端子３から離れ所定の適切な位置で所定の適切な姿勢を保っているコネクタ端子収容ハウジング）５が存在している状態から、コネクタ端子３を前方向に移動することで、コネクタ端子３がコネクタ端子収容ハウジング５の収容穴１１に挿入されて収容され、コネクタ端子収容ハウジング５に一体的に設置されるようになっている。
【００２８】
さらに説明すると、コネクタ端子３は、上述したように、本体部９とオス接点部（オス端子部）１３とメス接点部（メス端子部）１７とスリット（サイドスリット）２１とを備えて構成されている。
【００２９】
本体部９は、矩形な筒状に形成されている。矩形な筒状の本体部９は、矩形な平板状に形成されている４つの側壁部（第１の側壁部１９Ａ、第２の側壁部１９Ｂ、第３の側壁部１９Ｃ、第４の側壁部１９Ｄ）を備えて構成されている。
【００３０】
第１の側壁部１９Ａは、本体部９における横方向の一方の側に位置している。第２の側壁部１９Ｂは、第１の側壁部１９Ａと対向しており、本体部９における横方向の他方の側に位置している。第３の側壁部１９Ｃは、本体部９における縦方向の一方の側に位置している。第４の側壁部１９Ｄは、第３の側壁部１９Ｃと対向しており、本体部９における縦方向の他方の側に位置している。
【００３１】
オス接点部１３は、本体部９の第１の側壁部１９Ａから横方向の一端側に突出している。オス接点部１３は、たとえば平板状に形成されており、厚さ方向が縦方向になっており、縦方向では、本体部９の中間部に位置しており、前後方向では、本体部９の前側に位置している。
【００３２】
メス接点部１７は、図５で示すように、本体部９の内部に設けられている。メス接点部１７は、当接部２３とバネ部２４とを備えて構成されている。当接部２３は、本体部９における第３の側壁部１９Ｃから内側に突出して形成されている。バネ部２４は、本体部９における第４の側壁部１９Ｄから内側に突出して形成されている。これにより、当接部２３は、縦方向の一方の側に位置しており、バネ部２４は、縦方向の他方の側に位置している。
【００３３】
スリット２１は、本体部９の第２の側壁部１９Ｂに設けられている。スリット２１は、縦方向では、本体部９の中間部に位置しており、前後方向では、本体部９（第２の側壁部１９Ｂ）の前端から後端に向かって所定の長さ延びている。しかし、第２の側壁部１９Ｂを貫通しはいない。
【００３４】
さらに説明すると、スリット２１の幅の値（縦方向の寸法）は、前端からこれらの近傍にかけての部位ではテーパ状になって大きくなっている。また、テーパ以外の箇所におけるスリット２１の幅の値は、オス接点部１３の厚さの値（縦方向の寸法）よりも大きくなっている。また、縦方向では、スリット２１はオス接点部１３と同じところに位置している（縦方向では、縦方向におけるスリットの中心の位置と縦方向におけるオス接点部の中心に位置とがお互いに一致している）。
【００３５】
また、コネクタ端子３には、電線接続部２５が設けられている。電線接続部２５は、本体部９の後側で本体部９から後側に突出している。
【００３６】
電線接続部２５は、被覆が除去されて剥き出しになった導線（電線４３の導線）を保持する導線保持部２７と、電線４３の被覆の部分を保持する被覆保持部２９とを備えて構成されている。導線保持部２７と被覆保持部２９とは、これらがカシメられることで、図示しない電線４３を保持するようになっている（電線４３の端部に一体的に設置されるようになっている）。
【００３７】
上述したように、複数の収容穴１１が設けられていることで、１つのコネクタ端子収容ハウジング５には、複数のコネクタ端子３が、横方向に並べられて同時に設置されるようになっている。これらの設置された各コネクタ端子３は、お互いが係合し合って（お互いが接触して）導通している。さらには、横方向にならんでコネクタ端子収容ハウジング５に設置された各コネクタ端子３は、お互いに隣接しているもの同士が接触して導通している。
【００３８】
さらに説明すると、１つのコネクタ端子収容ハウジング５に複数のコネクタ端子３を横方向に並べて同時に設置したときに、お互いが隣接しているコネクタ端子３において、一方のコネクタ端子３のオス接点部１３が他方のコネクタ端子３のメス接点部１７に係合し、お互いが隣接しているコネクタ端子３同士が導通するようになっている（図５参照）。
【００３９】
つまり、一方のコネクタ端子３のオス接点部１３が、他方のコネクタ端子３のメス接点部１７の当接部２３とバネ部２４とでバネ部２４による付勢力をもって挟まれることで、一方のコネクタ端子３のオス接点部１３が他方のコネクタ端子３のメス接点部１７に確実に係合するようになっている。
【００４０】
なお、１つのコネクタ端子収容ハウジング５に複数のコネクタ端子３を横方向に並べて同時に設置したときに、横方向の一端に存在している１つのコネクタ端子３のオス接点部１３は、隣にコネクタ端子３が存在していないので、メス接点部１７に係合していない。
【００４１】
１つのコネクタ端子収容ハウジング５に複数のコネクタ端子３を横方向に並べて同時に設置したときに、横方向の他端に存在している１つのコネクタ端子３のメス接点部１７部は、隣にコネクタ端子３が存在していないので、オス接点部１３に係合していない。
【００４２】
また、１つのコネクタ端子収容ハウジング５に複数のコネクタ端子３を横方向に並べて同時に設置すると、コネクタ端子３のオス接点部１３は、ハウジング５の仕切り壁（収容穴１１の間に設けられている仕切り壁）３１に設けられている貫通孔（図示せず）を通り、隣の収容穴１１に設置されたコネクタ端子３のメス接点部１７に係合するようになっている。
【００４３】
ジョイントコネクタ７は、前述したように、第１のハウジング５Ａと第２のハウジング５Ｂとを重ねてお互いを接合するときに使用するものであり、第１の係合部３３と第２の係合部３５と連結部３７とを備えて「コ」字状に形成されている（図１等参照）。
【００４４】
第１の係合部３３は、第１のハウジング５Ａの切り欠き（スリット）１５Ａに入り込み、第１のハウジング５Ａに収容されたコネクタ端子（横方向の最も一端側に存在しているコネクタ端子）３のオス接点部１３に係合するようになっている。
【００４５】
第２の係合部３５は、第２のハウジング５Ｂの切り欠き（スリット）１５Ｂに入り込み、第２のハウジング５Ｂに収容されたコネクタ端子（横方向の最も一端側に存在しているコネクタ端子）３のオス接点部１３に係合するようになっている。
【００４６】
連結部３７は、第１の係合部３３と第２の係合部３５との間で第１の係合部３３と第２の係合部３５とを接続している。
【００４７】
ジョイントコネクタ７を、お互いが重なっている各ハウジング５Ａ，５Ｂに設置したときには、各ハウジング５Ａ，５Ｂの切り欠き１５に全体が入り込み、各コネクタ端子３同士を導通させ、各ハウジング５Ａ，５Ｂ同士を一体化するようになっている。
【００４８】
ハウジング５は、上述したように、矩形な平板状に形成されており、この厚さ方向が縦方向になっている。収容穴１１は、前後方向の後端面から前方に向かって設けられている。
【００４９】
収容穴１１に収容されたコネクタ端子３（本体部９等）は、収容穴１１に設けられた図示しないランスに係止されてハウジング５に固定されるようになっている。
【００５０】
コネクタ端子３が収容穴１１に収容された状態では、図２等で示すように、コネクタ端子３の本体部９の前端は、ハウジング５の前端から離れており、コネクタ端子３のオス接点部１３は、本体部９の前端側に位置している。
【００５１】
ハウジング５のスリット１５は、この幅方向がハウジング５の横方向と一致するようにして、ハウジング５の横方向の一端の近傍に設けられている。ハウジング５の前後方向では、スリット１５は、ハウジング５の前面から後側に向かって延びている。また、ハウジング５の縦方向ではスリット１５は、ハウジング５を貫通している。
【００５２】
さらに、スリット１５は、ハウジング５の横方向の最も一端側に位置している収容穴１１（コネクタ端子３のオス接点部１３が収容されている部位）に通じている。これにより、コネクタ端子３が収容されたハウジング５をこの前側から後側に向かって見ると、スリット１５を通して、ハウジング５の横方向の最も一端側に位置している収容穴１１に収容されているコネクタ端子３のオス接点部１３が覗けるようになっている。
【００５３】
また、各ハウジング５Ａ，５Ｂをお互いに重ねた状態を、これらの縦方向から見ると、第１のハウジング５Ａの総てと、第２のハウジング５Ｂの総てとが、スリット１５を含めてお互いに重なっている。
【００５４】
そして、各スリット１５に、ジョイントコネクタ７を挿入することで、上述したように、第１のハウジング５Ａに収容されたコネクタ端子３のオス接点部１３と、第２のハウジング５Ｂに収容されたコネクタ端子３のオス接点部１３とに係合し、各コネクタ端子３同士を導通させ、各ハウジング同士５Ａ，５Ｂを一体化するようになっている。
【００５５】
ジョイントコネクタ７についてさらに詳しく説明する。
【００５６】
ジョイントコネクタ７は平板状の金属の素材をたとえば打ち抜き加工することで、第１の係合部３３と第２の係合部３５と連結部３７とを備えた「コ」字状に形成されている。
【００５７】
第１の係合部３３の先端部には、スリット３９が設けられている。スリット３９の幅はほぼ一定になっているが、スリット３９の入口に半円状の一対の凸部４１が形成されていることで、スリット３９の入口では、スリット３９の幅が狭くなっている。
【００５８】
ジョイントコネクタ７のスリット３９が形成されている部位は弾性を備えている。
【００５９】
そして、各ハウジング５のスリット１５に、ジョイントコネクタ７を挿入した状態では、図２で示すように、スリット３９にコネクタ端子３のオス接点部１３が入り込んでおり、スリット３９が形成されている部位（一対の凸部４１）が、オス接点部１３を所定の圧力をもって挟み込んでいる。これにより、各ハウジング５のスリット１５に、ジョイントコネクタ７を挿入した状態では、ジョイントコネクタ７が、各ハウジング５（ハウジング５に収容されているコネクタ端子３）から容易には、離れないようになっている。
【００６０】
ここで、ジョイントコネクタ拡張構造１での、コネクタ端子３とハウジング５とジョイントコネクタ７との組み立て手順を説明する。
【００６１】
初期状態として、コネクタ端子３とハウジング５とジョイントコネクタ７とはお互いが分離しており、コネクタ端子３が電線４３に設置されているものとする。
【００６２】
上記初期状態において、各ハウジング５（５Ａ，５Ｂ）にコネクタ端子３を設置する。続いて、各ハウジング５（５Ａ，５Ｂ）同士を重ねる。続いて、ジョイントコネクタ７を各ハウジング５に設置し、上記組み付けが終了する。
【００６３】
ジョイントコネクタ拡張構造１によれば、ジョイントコネクタ７によって第１のハウジング５Ａに収容されたコネクタ端子３のオス接点部１３と、第２のハウジング５Ｂに収容されたコネクタ端子３のオス接点部１３とを導通させ、各ハウジング５同士を一体化するので、より多くのコネクタ端子３同士をお互いに接続する場合、ハウジング５の数を増やすことで対応することができ、コネクタ端子３を収容する収容穴１１の数を変更することなく（ハウジング５の仕様を変更することなく）、より多くの数のコネクタ端子３同士をお互いに接続することができる。そして、ハウジング５の使用の態様を拡張することができる。
【００６４】
また、ジョイントコネクタ拡張構造１によれば、ジョイントコネクタ７が、第１のハウジング５Ａの横方向の一方の端部に存在するコネクタ端子３のオス接点部１３と、第２のハウジング５Ｂの横方向の一方の端部に存在するコネクタ端子３のオス接点部１３とに係合するように構成されているので、通常（１つのハウジング５だけで複数のコネクタ端子３同士をお互いに接続する場合）は使用されずに余っているオス接点部１３を有効に使用することができる。
【００６５】
また、上述したようなジョイントコネクタ７を用いることに加えて、各ハウジング５Ａ，５Ｂの横方向の他端側に係合部を設け、これらの係合部をお互いに係合させ、各ハウジング５Ａ，５Ｂ同士を、一層確実に接合するようにしてもよい。
【００６６】
なお、上記説明では、２つのハウジング５を重ねているが、３つ以上の複数のハウジング５を重ねる構成にしてもよい。この場合、ジョイントコネクタ７を、「Ｅ」字状等の形状にするか、もしくは、ハウジング５に設けるスリット１５の形態を変更し、複数のジョイントコネクタ７を用いて、３つ以上の複数のハウジング５を一体化してもよい。
【符号の説明】
【００６７】
１  ジョイントコネクタ拡張構造
３  コネクタ端子
５、５Ａ、５Ｂ  ハウジング
７  ジョイントコネクタ
９  本体部（コネクタ端子の本体部）
１３  オス接点部（コネクタ端子のオス接点部）
１５  切り欠き
１７  メス接点部（コネクタ端子のメス接点部）
３３  第１の係合部（ジョイントコネクタの第１の係合部）
３５  第２の係合部（ジョイントコネクタの第２の係合部）
３７  連結部（ジョイントコネクタの連結部）
【図１】
2014002846.tif 000003
【図２】
2014002846.tif 000004
【図３】
2014002846.tif 000005
【図４】
2014002846.tif 000006
【図５】
2014002846.tif 000007
【図６】
2014002846.tif 000008